(57)【要約】      （修正有）【課題】自転車部品を用いて、単純化を計った組立式ハイ・チェアを提供する。【解決手段】ツーリング用フロントフォーク４と、サドル１と、サドルポスト２と、前記サドルポストを上端コラムに固定、位置可変に固定するパイプ３と、前記ツーリング用フロントフォーク下端に一端が結合される２本のステー５Ａとを備える。前記２本の脚部に一端が結合される２本のステー５Ｂと、前記ステー５Ａのそれぞれの他端と前記２本のステー５Ｂの一端が結合される２本のステー５Ｃと、前記２本のステー５Ａのそれぞれの一端に］字状の各端部が結合された足掛部とを備える。前記２本のステー５Ａと前記２本のステー５Ｂと前記２本のステー５Ｃと前記２本の脚部とにより前記サドルに対する荷重を支える。【選択図】図１
0003181882.tif 000002
【実用新案登録請求の範囲】
【請求項１】
ツーリング用フロントフォークと、サドルと、前記サドルに結合したサドルポストと、前記サドルポストを、前記ツーリング用フロントフォークの上端コラムに固定、位置可変に固定するパイプと、前記ツーリング用フロントフォーク下端の２本の脚部の下端にそれぞれ一端が結合される２本のステーＡと、前記２本の脚部のそれぞれのツーリング用バスケット取付ネジに一端が結合される２本のステーＢと、前記ステーＡのそれぞれの他端と前記２本のステーＢのそれぞれの他端とにそれぞれ一端が結合される２本のステーＣと、前記２本の脚のそれぞれの下端部と前記２本のステーＣのそれぞれの他端に設けられたブレキシューと、前記２本のステーＡのそれぞれの一端に］字状の各端部が結合された足掛部とを備え、前記２本のステーＡと前記２本のステーＢと前記２本のステーＣと前記２本の脚部とにより前記サドルに対する荷重を支える組立式ハイ・チェア。
【考案の詳細な説明】
【技術分野】
【０００１】  本考案は自転車部品例えばツーリング用フロントフォークやサドルを主たる部品として用いた組立式ハイ・チェアに関するものである。
【背景技術】
【０００２】  従来の組立式ハイ・チェアは特許文献１．２．３．４．５．６に開示されたように木製、プラチック、金属等で構成された製品はあるけれども、自転車部品を用いた組立式ハイ・チェアは存在しなかった。
【先行技術文献】
【特許文献】
【０００３】
【特許文献１】特開２００７〜５４１８３号  公報
【特許文献２】特開２００８〜４３５８１号  公報
【特許文献３】特開２００８〜５５１４０号  公報
【特許文献４】特開２０１０〜２０１１５１号  公報
【特許文献５】特開２０１２〜９０９３９号  公報
【特許文献６】実用新案登録第３１２５８３７号  公報
【考案の概要】
【考案が解決しようとする課題】
【０００４】  組立式ハイ・チェアとして機能する自転車部品を厳選し、総部品点数を最少限度におさえ製作を容易にした組立式ハイ・チェアを提供すること。
【課題を解決するための手段】
【０００５】  本考案は組立式ハイ・チェアとしての主構造に自転車部品のツーリング用フロントフォークを用いて、サドル、サドルポストにて椅子の高さ、上下動の調整用にシートピンにてサドルポストを固定して、ツーリング用フロントフォークの各部位から脚部を四方にのばして製作し、ブレキシューにて接地面を安定させて、最少限度の部品にて組立可能とし、機能することで門題点を解決している。
【考案の効果】
【０００６】  上述のように本考案の組立式ハイ・チェアは座高の高さ調整により子供、大人まで使用可能となり長い年月利用出来る。少ない部品で組立を容易にし、子供でも組立可能になり、自転車部品で構成されているので親しみを感じられて、特徴ある個性にて楽しみ使用することが出来る。
【図面の簡単な説明】
【０００７】
【図１】本考案の自転車部品を利用した組立式ハイ・チェアの斜視図である。
【図２】自転車部品のサドル、サドルポストの斜視図である。
【図３Ａ】サドルポスト上下動固定用シートピン止め付パイプの斜視図である。
【図３Ｂ】サドルポスト上下動固定用シートピン止め付パイプの正面図である。
【図４】自転車部品のツーリング用フロントフォークの斜視図である。
【図５Ａ】自転車部品のツーリング用フロントフォーク及びブレキシューに取付けるＬ型金具付ステンレス製丸棒曲加工の脚部の斜視図である。
【図５Ｂ】自転車部品のツーリング用フロントフォークエンド及びブレキシュー取付Ｌ型金具の斜視図である。
【図６】自転車部品のブレキシューの斜視図である。
【考案を実施するための形態】
【０００８】  組立式ハイ・チェアにするための自転車部品のフロントフォークは使用目的よって機能形状が異なるが、フロントフォークの中でも１個のツーリング用フロントフォークに限定して使用する。座面としてはサドルとサドルポストを組み合わせて使用する。ツーリング用フロントフォークコラムに上下動調整固定用シートピン止め付パイプを上から差し込み、ツーリング用フロントフォークコラム内にサドルポストを差し入れて、サドルポストをシートピンで任意の高さに調整して固定する。
ツーリング用フロントフォークのブレードのツーリングバッグ取付ネジ部及びツーリング用フロントフォークエンドにステンレス製丸棒を曲加工した脚部のそれぞれの端部をネジ止め及びボルト・ナット止めする。さらに脚部の端部にブレキシューを取り付けるＬ型金具を介してブレキシューを固定して接地面を安定、確保した組立式ハイ・チェア。
【実施例】
【０００９】  以下、添付図面に従って本考案の一実施例を説明する。図１〜図６においてツーリング用フロントフォークの上端コラム４Ｃをサドルポスト上下動固定用シートピン止め付のパイプ３へ差し込み、サドル１にサドルポスト２を組んで、上端コラム４Ｃの中へサドルポスト２の下端部を差し込み、パイプ３のシートピン取付固定用穴３Ｂにシートピンにて任意の高さに固定する。これらの組立体をＡとする。図３Ｂに示すようにパイプ３には切り込み３Ｃが形成されている。シートピンで固定することに、切り込み３Ｃが絞られてサドルポスト２と上端コラム４Ｃが確実に固定される。【００１０】  図５Ａに示す脚部の構成は、ステー５ＡはＶ字状のステンレス製丸棒でそれぞれの端部にツーリング用フロントフォーク４のフォークブレード４Ｂにツーリングバッグを取り付け用のネジがつ付ている部分を利用して、そのネジ止める穴付座金を加工する。次にステー５ＢはＶ字状のステンレス製丸棒でそれぞれの端部にツーリング用フロントフォーク４の下端エンド４Ａに固定するＬ型金具５Ｅを溶接する。このＬ型金具５Ｅには、ブレキシュー６を固定する穴加工がされている。【００１１】
0003181882.tif 000003
はブレキシュー６を固定する穴加工付のＬ型金具５Ｆを溶接する。【００１２】  足掛部５Ｄは］字状にステンレス製丸棒を曲加工して、それぞれの端部に下端エンド４Ａに固定したＬ型金具５Ｅの一端に溶接する。【００１３】  ステー５Ａとステー５Ｂの２点の他端とステーＣの中央部の１点、これらの３点を合せて溶接固定する。これらの組立体が図５の単体部品となり、一つの加工脚５となる。【００１４】  組立体Ａのツーリング用フロントフォーク４の下端エンド４Ａに加工脚５のＬ型金具５Ｅのそれぞれをボルト・ナットにして固定する。ツーリング用フロントフォーク４のフォークブレード４Ｂに付いているツーリング用バッグ取り付け用ネジ部４Ｄに加工脚５のステー５Ｂの端部の穴付座金をネジにて固定する。【００１５】  仕上として、加工脚５のブレキシュー取付Ｌ型金具５Ｅとブレキシュー６取付部の４ヶ処にブレキシュー６を取付、固定して接地面を安定させることにより、組立式ハイ・チェアとして機能し、完成する。【００１６】  本考案は以上のような構造である。構成部材を最少にして組立作業を簡素化することにより学童（１０歳前後位から）及び親等の共動作業にも可能にして、組立て出来るようにした組立式ハイ・チェアである。
【産業上の利用可能性】
【００１７】  厳選による自転車部品のパーツ利用も少ないが、本考案で使用する自転車部品は、すでに市場に流通している商品であり、自転車部品以外で用意しなければならない脚部の部品点数も少なく、強度も不足ない。しかも容易に製作可能なローテックな技術で製作して、学童等（勿論親等の監視のもと）にも組立可能に単純化して、長い年月にも使用出来る。
【符号の説明】
【００１８】１    サドル
２    サドル・ポスト
３    シートピン止メ付パイプ
３Ａ  上端コラム４Ｃの差し込み口
３Ｂ  シートピン取付固定用穴
３Ｃ  絞り込み用パイプ切り込み
４    ツーリング用フロントフォーク
４Ａ  下端エンド
４Ｂ  フォークブレード
４Ｃ  上端コラム
４Ｄ  ツーリングバッグ取付用ネジ部
５    加工脚部
５Ａ  ステーＡ
５Ｂ  ステーＢ
５Ｃ  ステーＣ
５Ｄ  足掛部
５Ｅ  下端エンド４Ａ取付Ｌ型金具及びブレキシュー取付共
５Ｆ  ブレキシュー取付Ｌ型金具
６    ブレキシュー
【図１】
0003181882.tif 000004
【図２】
0003181882.tif 000005
【図３Ａ】
0003181882.tif 000006
【図３Ｂ】
0003181882.tif 000007
【図４】
0003181882.tif 000008
【図５Ａ】
0003181882.tif 000009
【図５Ｂ】
0003181882.tif 000010
【図６】
0003181882.tif 000011